(57)【要約】【課題】カラー原稿を読み取る場合、複数色の発光素子からなる光源を複数用いた場合にも、各色の配光バランスを取り、かつ全体の色バランスを取ってカラー原稿の再現性を高める。【解決手段】イメージセンサユニット１０８は、ＲＧＢのＬＥＤからなる光源を読取対象の原稿の幅方向における両端部にそれぞれ１個有する。両光源からの光を被写体に照射し、センサにより、被写体像を電荷像に変換する。ＣＰＵ＆メモリ２４は、第１の光源の近傍の第１のポイントで測定されたセンサ出力に基づいて第１の光源の複数のＬＥＤの点灯時間を設定し、第２の光源の近傍の第２のポイントで測定されたセンサ出力に基づいて第２の光源の複数のＬＥＤの点灯時間を設定する。ＬＥＤ駆動回路２５は、点灯制御手段として、前記設定された点灯時間に従って各ＬＥＤの点灯を制御する。【選択図】図９
2006211175.tif 000002
【特許請求の範囲】
【請求項１】
異なる発光色を有する複数の発光素子からなる光源を複数有し、この複数の光源からの光を被写体に照射する照射手段と、
被写体からの光に応じて被写体像を電荷像に変換する光電変換手段と、
前記複数の発光素子の各々についてそれぞれ異なる点灯時間を設定することができる点灯時間設定手段と、
設定された点灯時間に従って各発光素子の点灯を制御する点灯制御手段とを備え、
前記点灯時間設定手段は、前記複数の発光素子の各々について前記光電変換手段の出力に基づいて当該点灯時間を設定することを特徴とする画像読取装置。
【請求項２】
前記点灯時間設定手段は、前記複数の光源の複数の発光素子のうち、同一色の発光素子の前記光電変換手段の出力が等しくなるように前記光源の複数の発光素子の点灯時間を設定することを特徴とする請求項１記載の画像読取装置。
【請求項３】
前記光源は読取対象の原稿の幅方向における両端部にそれぞれ１個設けられ、前記点灯時間設定手段は第１の光源の近傍の第１のポイントで測定された光電変換手段の出力に基づいて前記第１の光源の複数の発光素子の点灯時間を設定し、第２の光源の近傍の第２のポイントで測定された光電変換手段の出力に基づいて前記第２の光源の複数の発光素子の点灯時間を設定し、前記第１および第２のポイントはそれぞれ前記第１および第２の光源から等距離にあることを特徴とする請求項１または２記載の画像読取装置。
【請求項４】
前記点灯制御手段は、前記複数の発光素子の各々をオンオフ制御し、
前記点灯時間設定手段は、各光源がその複数の発光素子を略同時に点灯させた際に略白色光源となるように、各発光素子の点灯時間を設定することを特徴とする請求項１〜３のいずれかに記載の画像読取装置。
【請求項５】
前記点灯時間設定手段は、前記複数の光源の複数の発光素子の全ての光量レベルが所定の光量レベルとなるように各発光素子の点灯時間を設定することを特徴とする請求項１〜４のいずれかに記載の画像読取装置。
【請求項６】
前記点灯時間設定手段は、前記複数の光源の複数の発光素子を同一条件で点灯させたときに最も光量レベルの低い発光素子に対して、その他の発光素子は前記最も低い光量レベルに一致するように当該発光素子の点灯時間を設定することを特徴とする請求項５に記載の画像読取装置。
【請求項７】
前記点灯時間設定手段は、前記光量レベルが前記光電変換手段の最大レベルに達している発光素子が存在する場合、当該発光素子の光量レベルが前記最大レベルより小さくなるように当該発光素子の点灯時間を所定の割合で低減させた後、前記最も光量レベルの低い発光素子に合わせる処理を行う請求項６に記載の画像読取装置。
【請求項８】
前記複数の発光素子の全てについて光量レベルが前記光電変換手段の最大レベルに達している場合、前記点灯時間設定手段は、各発光素子の光量レベルが前記最大レベルより小さくなるまで当該発光素子の点灯時間を所定の割合で低減させて各発光素子の実際の光量レベルを確認した後、その光量レベルを前記最大レベルより小さい所定の光量レベルに合わせるよう当該発光素子の点灯時間を低減させる点灯時間割合を算出し、各発光素子に対して当該算出された点灯時間割合を適用することを特徴とする請求項５に記載の画像読取装置。
【請求項９】
前記照射手段は、読取対象の原稿の幅方向に平行に伸びる第１および第２の導光体と、前記第１の導光体の長手方向の一端部に配置された第１光源と、前記第２の光導体の長手方向の前記一端部と逆側の他端部に配置された第２の光源と、前記第１および第２の光導体により照射された原稿の反射光を受けるレンズアレイとを有することを特徴とする請求項１〜８のいずれかに記載の画像読取装置。
【請求項１０】
請求項１〜９のいずれかに記載の画像読取装置と、この画像読取装置により読み取られた画像に基づいて画像形成を行う画像形成手段とを備えたことを特徴とする画像形成装置。
【請求項１１】
原稿を読み取る画像読取装置と、この画像読取装置により読み取られた画像に基づいて画像形成を行う画像形成手段とを備えを備えた画像形成装置であって、
異なる発光色を有する複数の発光素子からなる光源を有し、この光源からの光を被写体に照射する照射手段と、
被写体からの光に応じて被写体像を電荷像に変換する光電変換手段と、
前記複数の発光素子の各々についてそれぞれ異なる点灯時間を設定することができる点灯時間設定手段と、
設定された点灯時間に従って各発光素子の点灯を制御する点灯制御手段とを備え、
前記点灯時間設定手段は、前記複数の発光素子の各々について前記光電変換手段の出力に基づいて当該点灯時間を設定し、
前記画像形成手段によりカラー原稿に基づいてモノクロの画像形成を行う場合、ある色成分の画像の濃度を他の色成分に比べて濃く画像形成したい際に、前記点灯時間設定手段は濃度を濃くしたい色成分に該当する発光素子の点灯時間を短く設定することを特徴とする画像形成装置。
【発明の詳細な説明】
【技術分野】
【０００１】
本発明は、異なる発光色を有する複数の発光素子からなる光源を複数有する画像読取装置、および、この画像読取装置を用いた画像形成装置に関する。
【背景技術】
【０００２】
原稿を読み取る読取装置として、光源に発光ダイオード（ＬＥＤ）を用いたものは、カラー読取、モノクロ読取ともに提案されている。
【０００３】
カラー読取の場合は、Ｒ（赤）、Ｇ（緑）、Ｂ（青）の３色の光源を用いてそれぞれ、各色を点灯制御し、各色に応じた読取信号を得ることにより、カラー画像を読み取る構成がとられている。また、カラー読取の際、ＬＥＤそのものの光量にバラツキが存在するために、読取時の光量が一定になるように、個々のＬＥＤの光量が制御されている。
【０００４】
一方、モノクロの読取の場合は単色、例えば緑１色による発光で緑色に応じた信号を得ることにより、モノクロ画像を読み取る構成がとられている。
【０００５】
しかしながら、読取速度の高速化に対応させるためには、単色点灯では光量が不足するという問題が生じる。
【０００６】
従来の光源は、例えば図８に示すような構成を有する。原稿の幅方向に伸びる枠体７内に導光体４が収納され、その長手方向の一端側にのみＬＥＤ光源３（ＲＧＢ一組）が設けられる。ＬＥＤ光源３から射出された光は導光体４を通って原稿台ガラス２上の原稿に対して光を照射し、その反射光はセルフォックレンズアレイ５を介して一次元センサ素子アレイ（センサ）６に集光される（特許文献１参照）。
【特許文献１】特開２００２−５７８４２号公報
【発明の開示】
【発明が解決しようとする課題】
【０００７】
光量を増加させるために複数色の発光素子からなる光源を複数用いて全発光素子を同時に点灯させて読取を行った場合には、特定色のみの光量が多くなったり、光源間の色バランスがくずれたりすることにより、カラー原稿の特定色の画像が読み取れないという不具合が生じるおそれがあった。
【０００８】
本発明は、このような不具合を考慮し、カラー原稿を読み取る場合、複数色の発光素子からなる光源を複数用いた場合にも、各色の配光バランスを取り、かつ全体の色バランスを取ってカラー原稿の再現性を高めることができる画像読取装置およびこれを用いた画像形成装置を提供することを目的とする。
【課題を解決するための手段】
【０００９】
本発明による画像読取装置は、異なる発光色を有する複数の発光素子からなる光源を複数有し、この複数の光源からの光を被写体に照射する照射手段と、被写体からの光に応じて被写体像を電荷像に変換する光電変換手段と、前記複数の発光素子の各々についてそれぞれ異なる点灯時間を設定することができる点灯時間設定手段と、設定された点灯時間に従って各発光素子の点灯を制御する点灯制御手段とを備え、前記点灯時間設定手段は、前記複数の発光素子の各々について前記光電変換手段の出力に基づいて当該点灯時間を設定することを特徴とする。
【００１０】
複数の発光素子からなる光源を複数用いることにより、全発光素子を同時に発光させた場合にトータルの光量を大きくすることができる。また、複数の発光素子からなる光源を複数用いても、複数の発光素子の各々について前記光電変換手段の出力に基づいて当該点灯時間を設定することにより、１つの光源の各色の間の配光バランスを取り、かつ全体の色バランスを取ることができる。
【００１１】
好ましくは、前記点灯時間設定手段は、前記複数の光源の複数の発光素子のうち、同一色の発光素子の前記光電変換手段の出力が等しくなるように前記光源の複数の発光素子の点灯時間を設定することを特徴とする。これにより、各発光素子の小野不制御によって複数の光源の同一色の発光素子の光量レベルを等しくすることができる。
【００１２】
より具体的には、前記光源は読取対象の原稿の幅方向における両端部にそれぞれ１個設けられ、前記点灯時間設定手段は第１の光源の近傍の第１のポイントで測定された光電変換手段の出力に基づいて前記第１の光源の複数の発光素子の点灯時間を設定し、第２の光源の近傍の第２のポイントで測定された光電変換手段の出力に基づいて前記第２の光源の複数の発光素子の点灯時間を設定し、前記第１および第２のポイントはそれぞれ前記第１および第２の光源から等距離にある。
【００１３】
前記点灯制御手段は、前記複数の発光素子の各々をオンオフ制御し、前記点灯時間設定手段は、各光源がその複数の発光素子を略同時に点灯させた際に略白色光源となるように、各発光素子の点灯時間を設定する。
【００１４】
本発明による画像形成装置は、上記のいずれか画像読取装置と、この画像読取装置により読み取られた画像に基づいて画像形成を行う画像形成手段とを備えたものである。
【００１５】
この画像形成装置において、前記画像形成手段によりカラー原稿に基づいてモノクロの画像形成を行う場合、ある色成分の画像の濃度を他の色成分に比べて濃く画像形成したい際に、前記点灯時間設定手段は濃度を濃くしたい色成分に該当する発光素子の点灯時間を短く設定する手段を備えてもよい。これにより、特定の色成分の再現性を改善または向上させることができる。この構成においては複数の発光素子からなる光源の個数は必ずしも複数でなくてもよい。
【発明の効果】
【００１６】
本発明によれば、複数の色の発光素子を有する複数の光源を用いた場合、特定色のみの光量が多くなったり、光源間の色バランスがくずれたりすることによりカラー原稿の特定色の画像が読み取れなくなる、という不具合をなくすことができる。
【００１７】
特に、カラー原稿をモノクロ出力させる場合、複数色の発光素子の各色の配光バランスを取り、かつ全体の色バランスを取ってカラー原稿の再現性を高めることができる。
【００１８】
また、それぞれ複数の発光素子を含む複数の光源をモノクロ読取に用いることにより、光量を増加させて読取速度の向上を図ることができる。
【００１９】
更に、カラー原稿を読み取ってモノクロ出力を行う装置において、ある色成分の画像の濃度を濃く画像形成したい場合に、濃度を濃くしたい色成分に該当する光源の光量を落とすことにより、ある色成分だけ再現性を高めることができる。
【発明を実施するための最良の形態】
【００２０】
以下、図面に基づき、本発明による画像読取装置の好適な実施の形態を説明する。この実施の形態は本発明をファクシミリ装置に適用したものである。但し、本実施の形態は本発明を限定するものではない。例えば、スキャナプリンタやデジタル複写機に本発明を適用することも可能である。また、記録装置を含まない読取装置単体であっても、本発明を適用することが可能である。
【００２１】
図１は本実施の形態のファクシミリ装置を前方から見た透視図、図２はそのファクシミリ装置の斜視図、図３は画像読取部の拡大透視図である。
【００２２】
まず、ファクシミリ装置全体の概略を説明する。図１、図２および図３において、１０１は装置本体、１０２はシート原稿Ｄを複数枚積載し、１枚ずつ分離、搬送するＡＤＦ（オートドキュメントフィーダ）圧板、１０３はシート原稿Ｄの表面および原稿台ガラス上のブック原稿の画像情報を読み取る画像読取部、１０４は電子写真プリンタからなる記録装置本体、１０５は表示部・入力キー等により構成される操作部、１０６は原稿載置台、１０７は原稿台ガラス、１０８は移動型のイメージセンサユニット、１０９は流し読みガラスである。
【００２３】
また、１１０はＬＥＤヘッドユニット、１１１は画像形成部、１１２はカセット給紙部、１１３は記録装置本体１０４の上部にシート材Ｐを複数枚積載することができるように構成された記録シート排紙部、１１４はカートリッジカバー部、１１５はＡＤＦ分離部、１１６は排紙搬送部、１１７は原稿排紙部、１１８はブック原稿を押圧する原稿押え板、１１９は画像読取部１０３と記録装置本体１０４との接合部、１２０はファクシミリ装置の制御部、１２１はシート原稿搬送部、１２２は両面搬送部カバー、１２３は搬送方向切換部、１２４はレジスト搬送部、１２５は記録装置本体１０４内部に配置されたＭＰ（マルチペーパー）給紙部である。
【００２４】
まず、ブック原稿の読取について説明する。ＡＤＦ圧板１０２はヒンジ部１０２ａ（図２）を介して画像読取部１０３に回動可能に取り付けられている。ヒンジ部１０２ａは装置の背面側左右に各１個（左側は図示せず）配設され、ＡＤＦ圧板１０２の手前側を持ち上げることで開閉可能としている（図２、両矢印参照）。ヒンジ部１０２ａはダンパやカム、バネ部材などの組合せによりＡＤＦ圧板１０２を所定の角度（たとえば７０°）までの開いた状態で静止させることが可能である。ＡＤＦ圧板１０２が開いた状態では原稿台ガラス１０７上に原稿をセットすることが可能になっている。
【００２５】
画像読取部１０３の移動型イメージセンサユニット１０８は、ＬＥＤ光源と樹脂製導光体などからなり、光源から原稿の画像情報面に光を照射し、画像情報面で反射した反射光をセルフォックレンズ（商標）で一次元センサ素子アレイに結像して画像情報を読み取るものである。その具体的な構成例については図５により後述する。
【００２６】
移動型イメージセンサユニット１０８は、図４に示すように、ガイド軸１０３ｃに沿って装置の左右方向に移動可能になっており、タイミングベルト１０３ａ、駆動プーリ１０３ｂおよび図示しない駆動モータなどにより所望の位置に移動可能である。この場合、キャリッジ１０３ｄを介してガイド軸１０３ｃに支持されるとともに、スプリング１０３ｅによって上方へ付勢される。イメージセンサユニット１０８と原稿台ガラス１０７の間にはスペーサ１０８ａが介挿される。イメージセンサユニット１０８はブック読取範囲開始位置１０７ａ（図１）からブック読取範囲終了位置１０７ｂまでの所定の範囲の原稿台ガラス１０７上に置かれた原稿の画像を等速移動することで読み取るようになっている。
【００２７】
図３によく表れるように、原稿台ガラス１０７上部に張り出したジャンプ台１０９ｂの下面には白色基準板１０９ｃが配設され、イメージセンサユニット１０８の読取位置がその下部にあるときにイメージセンサユニット１０８のシェーディング補正および本実施の形態における光量調整を行う。ブックスキャンを行う場合、１回のスキャンのたびにイメージセンサユニット１０８はジャンプ台１０９ｂの下部を通過するためスキャンのたびにシェーディング補正を行うことができる。このことは光源の経時変化に応じて光量が変化する移動型イメージセンサユニット１０８の光源の影響を減らすために有効である。
【００２８】
原稿押え板１１８は白色シート、スポンジなどを積層して構成され、原稿台ガラス１０７上に置かれた原稿の浮きを防止する。原稿押え板１１８は左端１１８ａがブック読取範囲開始位置１０７ａの左側、右端１１８ｂがブック読取読取範囲終了位置１０７ｂの右側まで延設されている。
【００２９】
次に、シート原稿Ｄの読取について説明する。ＡＤＦ分離部１１５は図示しないアクチュエータにより上下動可能に配設されたピックアップローラ１１５ａ、分離ローラ１１５ｂ、分離ローラ１１５ｂに圧接され逆方向に回転するリタードローラ１１５ｃなどからなる。
【００３０】
まず、原稿載置台１０６上に表（おもて）面を上に向けて積載したシート原稿Ｄはピックアップローラ１１５ａを下げることで押圧し、分離ローラ１１５ｂおよびリタードローラ１１５ｃの間に送り込み、リタードローラ１１５ｃと圧接した分離ローラ１１５ｂで１枚ずつ分離する。次に、図示しない押圧バネにより押圧された分離搬送コロ１２１ａ，１２１ｂと圧接した読取搬送ローラ１２１ｃにより、原稿ガイド１２１ｄに沿ってＵターン紙パスを搬送する。
【００３１】
次に、流し読みガラス１０９部に搬送し、図示しない付勢バネで押圧されたシート原稿押え板１２１ｅにより、シート原稿Ｄを流し読みガラス１０９に押圧して密着させつつ、シート原稿読取位置１０９ａ上でシート原稿Ｄの表面の画像情報を読み取る。このときイメージセンサユニット１０８はシート原稿読取位置１０９ａに移動する。次に、シート原稿Ｄをジャンプ台１０９ｂでＡＤＦ圧板１０２側に戻し、押圧バネにより押圧された読取搬送コロ１２１ｆと圧接した読取搬送ローラ１２１ｃによって搬送する。
【００３２】
更に、押圧バネによって押圧された排紙コロ１１７ａと圧接した排紙ローラ１１７ｂにより原稿排紙トレイ１１７ｃに排紙するようになっている。排紙ローラ１１７ｂの上流側には読取済みスタンプ１２１ｇが配設され、シート原稿Ｄの表面に押印可能になっている。
【００３３】
図２によく表れるように、原稿載置台１０６はＡＤＦ圧板１０２に固定的に配設されており、原稿載置台１０６にはシート原稿Ｄの搬送方向と直角方向（シート原稿Ｄの幅方向）にスライド可能なスライダ１０６ａが設けられている。このスライダ１０６ａによって原稿載置台１０６上に積載されたシート原稿Ｄの両サイドを揃えることができるようになっている。また、原稿載置台１０６上には原稿長さセンサ１０６ｂが配設され、セットされたシート原稿Ｄの長さを検知することができる。また、ＡＤＦ分離部１１５にはシート原稿Ｄの幅方向に複数配設された原稿幅センサ１１５ｄ（図３）によってシート原稿Ｄの有無と幅を検知することができる。原稿幅センサ１１５ｄと原稿長さセンサ１０６ｂの検知出力の組合せにより原稿サイズとセット方向を検知することができる。
【００３４】
また、図３によく表れるように、シート原稿搬送部１２１には原稿給送センサ１２１ｈと原稿端センサ１２１ｉが配設されている。原稿給送センサ１２１ｈはＡＤＦ分離部１１５からシート原稿Ｄが繰り出されたかどうかや、シート原稿Ｄの後端の通過を検知する。原稿端センサ１２１ｉはシート原稿Ｄの先端および後端の通過を検知し、その出力は読取のタイミング制御に使用される。
【００３５】
さて、上述したように本発明のイメージセンサユニット１０８において、光源により原稿を照射し、原稿からの反射光を、結像光学系を介してセンサに入射させることにより原稿画像を読み取るようになっている。
【００３６】
図５は本実施の形態に係るイメージセンサユニット１０８の具体的構成例を示している。イメージセンサユニット１０８は、結像光学系を構成するセルフォックレンズアレイ１２の両側に沿って１対の導光体１１および１対の光源１０が設けられる。各光源１０は、互いに異なる発光色（波長分布）を有する発光素子であるカラーＬＥＤを複数個内蔵して構成される。本実施の形態では１つの光源１０にＲ，Ｇ，Ｂ３個のＬＥＤを備える。導光体１１は、このＬＥＤ光源１０で発せられた光を原稿へと導く。セルフォックレンズアレイ１２の直下にはセンサ１３が配設される。これらの各種部材は、枠体１４内に配置構成される。
【００３７】
ＬＥＤ光源１０は導光体１１の長手方向のいずれかの端部に固定されるが、図示例では一方の導光体１１の一端と他方の導光体１１の他端にそれぞれ１個設けられる。このように２つの導光体１１の間で反対側に設け、かつ中心軸Ｃに対して点対称の配置構成とする。
【００３８】
各ＬＥＤ光源１０から発せられた光はそれぞれの導光体１１内で反射を繰り返しながら進行することで、導光体１１の全長から出射する。導光体１１から出射した光は、図６のように原稿台ガラス１０７上の不図示のブック原稿に照射され、それぞれの反射光がセルフォックレンズアレイ１２を通ってセンサ１３に入射する。
【００３９】
図７は、本実施の形態におけるイメージセンサユニット１０８における導光体光源による光量分布を示している。図において、一方の導光体１１側のＬＥＤ光源１０からの距離を基準にその光量分布が実線で示され、他方の導光体１１側の光量分布が点線で示されている。イメージセンサユニット１０８全体としての光量分布は、一点鎖線で示されるように各々のＬＥＤ光源１０の光量を加算したものとなり、すなわち図示のように光量が増大するとともに平均化されている。
【００４０】
この実施の形態のイメージセンサユニット１０８によれば、上記のように２つの導光体１１の間でＬＥＤ光源１０を反対側に設けることで、導光体光源が相互に補完し合うかたちの光量分布が得られる。これによりムラのない良好な読取画像が得られる。
【００４１】
図９は、ＬＥＤの光量を制御する制御回路を示している。ＣＰＵ＆メモリ２４は、本発明における点灯時間設定手段を構成し、点灯制御手段であるＬＥＤ駆動回路２５を介して点灯時間を制御する。イメージセンサユニット１０８からの画像データをＡ／Ｄ変換器２３にてアナログ信号からデジタル信号に変換しメモリに保存する。ＣＰＵ２４は保存された画像データより個々のＬＥＤの最適な点灯時間を算出する。
【００４２】
図１０は本実施の形態におけるＬＥＤ駆動回路２５の構成例を示したものである。ＬＥＤ共通電源２６にそれぞれ接続されたＬＥＤ  Ｒ１、ＬＥＤ  Ｇ１、ＬＥＤ  Ｂ１、ＬＥＤ  Ｒ２、ＬＥＤ  Ｇ２、ＬＥＤ  Ｂ２に対して、それぞれに定電流回路３１とスイッチ回路３３を含むドライバ３０が接続され、ＣＰＵ＆メモリ２４の制御下で各々のスイッチ回路３３を制御して各ＬＥＤの光量を調整する。
【００４３】
図１１により本実施の形態における光源の光量特性を説明する。図１１（ａ）はイメージセンサユニット１０８の概略構成を示し、図１１（ｂ）（ｃ）（ｄ）は両光源１０をそれぞれ別個に点灯させたときの左右のＲ，Ｇ，ＢのＬＥＤ光量特性を示している。図中、実線のグラフは左側の発光素子の特性を示し、破線のグラフは右側の発光素子の特性を示している。本実施の形態では発光素子としてＲＧＢのＬＥＤが２組有り、ＬＥＤの個数は左側のＲＧＢと右側のＲＧＢの合計６ヶある。よって調整ポイントをイメージセンサユニット１０８の両端近傍の位置ＡとＢの２点として光量を調整して色バランスを合わせるものとする。位置Ａ，Ｂはそれぞれ当該ＬＥＤ光源から等距離の位置にある。ここでは、ＲＧＢの色バランスを１：１：１にした場合の調整方法を示す。
【００４４】
本明細書において「光量レベル」とはオンオフ制御されるＬＥＤの発光量を発光時間で積分して得られる結果に相当するセンサ出力を表している。この例では１００％のセンサ出力はＡ／Ｄ変換器２３の最大出力レベルとして２５５レベルとする。
【００４５】
まず、調整ポイントＡのＬＥＤ光量レベルに注目し、左側のＲＧＢを調整する。次に、調整ポイントＢのＬＥＤ光量レベルに注目し、右側のＲＧＢを調整する。各調整ポイントでは、例えば、全てのＬＥＤの点灯時間を最大にした上で、ＬＥＤ光量レベルを測定する。
【００４６】
例えば、調整ポイントＡにて
左Ｒ：２０５／２５５  レベル
左Ｇ：２３０／２５５  レベル
左Ｂ：２１５／２５５  レベル
【００４７】
調整ポイントＢにて
右Ｒ：２３５／２５５  レベル
右Ｇ：２２５／２５５  レベル
右Ｂ：２１０／２５５  レベル
となったとする。
【００４８】
このとき、最低レベルは左Ｒの２０５レベルである。したがって、このＬＥＤを最大点灯時間のままとする。その他のＬＥＤは各調整ポイントで２０５レベルになるような点灯時間を設定する。例えば、左Ｇの場合、２０５／２３０＝０．８９１なので、最大点灯時間の８９．１％の時間を点灯するように設定する。
【００４９】
なお、各ポイントで１つのＬＥＤでもその光量レベルが２５５／２５５というように、センサのダイナミックレンジに対して出力がオーバーしてしまった場合にはＲＧＢ間の正確な光量調整ができない。そこで、一旦、そのような出力オーバーのＬＥＤに対する点灯時間を所定の割合で低減して（例えば１／２、１／４などにして）、全てのＬＥＤがダイナミックレンジ内に収まるようにした後、再度、全てのＬＥＤの光量レベルが最低レベルで一致するように点灯時間を調整する。
【００５０】
全てのＬＥＤの光量レベルが出力オーバーとなった場合、例えば２５０／２５５レベルになるように全てのＬＥＤの点灯時間を調整する。この“２５０”という数値は２５５より低く２５５に近い値という意味の数値であり、必ずしも２５０である必要はない。全てのＬＥＤの光量レベルが飽和してダイナミックレンジを越えたとき全ＬＥＤの点灯時間を共通に低減した後、最低の出力レベルに合わせる方法もありうるが、センサのダイナミックレンジに収まる範囲内でダイナミックレンジを有効に利用するためには、２５５に近いレベルに合わせる方法が好ましい。
【００５１】
図１２に、本実施の形態における両ＬＥＤ光源の各ＬＥＤの光量調整処理のフローチャートを示す。この処理は、ＣＰＵ（２４）が内部のメモリに格納されたプログラムを読み出して実行することにより実現され、装置電源オン時、その他必要時に自動的に、またはユーザの指示に応じて、実行される。
【００５２】
操作者の指示に従って図１２の光量調整処理をスタートした後、まず、調整ポイントＡ，Ｂにて順次各ＬＥＤの光量レベル（センサレベル）を確認する（Ｓ１）。具体的には、前述のようにまず、調整ポイントＡにおいて左側の３個のＬＥＤの光量レベルを順次測定する。次に、調整ポイントＢにおいて右側の３個のＬＥＤの光量レベルを順次測定する。この際、各ＬＥＤの点灯時間は最大とする
【００５３】
ついで求められた各ＬＥＤの光量レベルで２５５レベル以上のものがあるかを確認する（Ｓ２）。（なお、実際には２５５レベル以上であってもセンサ出力は飽和するので、光量レベルは２５５レベルとなる。）
【００５４】
２５５レベル以上のものが存在しなければ、全てのＬＥＤの中で光量レベルが最低レベルのものを見つけ出す（Ｓ３）。そこで、各ＬＥＤの点灯時間割合ｘ［％］を次のように算出する（Ｓ４）。
点灯時間割合ｘ［％］＝最低レベル／各ＬＥＤ光量レベル    （１）
【００５５】
図１３に示すように、点灯時間割合ｘ［％］は水平同期信号（ａ）の水平期間内のＬＥＤのフル点灯期間（ｂ）に対する時間割合（ｃ）を示している。
【００５６】
上記ステップＳ２において、１個でも２５５レベル以上のＬＥＤが存在する場合には（Ｓ２，Ｙｅｓ）、そのＬＥＤの点灯時間を所定の割合ｐ（この例では１／２）で低減して光量レベルを落とす（Ｓ５）。そこで、全てのＬＥＤのレベルが２５５未満になったか確認する（Ｓ６）。光量レベルが２５５以上であるＬＥＤがなお存在する場合は更にそのＬＥＤの点灯時間を所定の割合ｐで低減する（Ｓ７）。この例で同じＬＥＤについて２回低減を行うと点灯時間は当初の１／４となる。全てのＬＥＤの光量レベルが２５５未満になったら、ステップＳ８へ進む。
【００５７】
ステップＳ８では、最大点灯時の全てのＬＥＤが２５５レベル以上であったか否かをチェックする。全てのＬＥＤが２５５レベル以上ではなかったと判断された場合には、ステップＳ３へ移行する。この場合のようにステップＳ８からステップＳ３へ移行した場合の上記式（１）の分母の「ＬＥＤ光量レベル」は、低減された点灯時間で測定された光量レベルである。また、点灯時間を低減したＬＥＤであって最低レベルでないものについて得られた点灯割合は、低減された点灯時間に対するさらなる低減の割合である。例えば点灯時間が１／２に低減されたＬＥＤの光量レベルが２００レベルで、これより低い光量レベル１９０のＬＥＤが存在した場合、前者の点灯割合は（１／２）×（１９０／２００）と算出される。
【００５８】
ステップＳ８で全てのＬＥＤが２５５レベル以上であったと判断された場合には、予め定めた光量レベル（この例では２５０レベル）を目標として点灯時間を設定する（Ｓ９）。すなわち、各ＬＥＤの点灯時間は次のように算出する。
点灯時間割合＝２５０／各ＬＥＤ光量レベル    （２）
【００５９】
式（２）の分母の各ＬＥＤ光量レベルは、測定された光量レベルではなく、計算により求められた２５５レベル以上の光量レベルである。この光量レベルを求めるための計算では、各ＬＥＤについてステップＳ５、Ｓ７の低減実行回数によって決まる係数（回数ｎの場合、ｐのｎ乗の逆数）を測定光量レベルに乗算する。例えば、１／２の低減を１回実行した場合に測定結果が１５０レベルであるとすれば、実際の光量レベルは１５０×２＝３００レベルとなる。この場合の点灯時間割合は２５０／３００となる。
【００６０】
次に、図１４に示すフローチャートにより本実施の形態の変形例について説明する。上記のようにＲＧＢの各色の光量レベルを一定にして、カラー原稿を読み取った場合に、モノクロの画像形成を行う場合、濃度が薄くなってしまう色があり、カラー画像をモノクロ画像として良好に再現出来ない場合があった。
【００６１】
そこで、図１４の処理は、全ＬＥＤの光量バランスが取れた後に、更にある特定色を強調させてモノクロ画像として再現させるための処理である。例えば、カーボン紙により複写された緑色の文字、トレーシングペーパーの緑色の罫線等を上記バランスのとれた白色光源で読み取ってモノクロ画像として印刷しようとする場合、うまく再現されない場合がある。そこで、そのような原稿を読み取る場合には、ＧのＬＥＤの光量レベルを落とす。一般的には、白色光源の各色の配光バランスとして、濃度を濃くしたい色成分の色に当たる光源の光量を落とすようにする。すなわち、濃度を濃くしたい色成分に該当する発光素子の点灯時間を短く設定する。例えば、赤を強調させたいときはＲのＬＥＤの光量を落し、青を強調させたいときは青のＬＥＤの光量を落し、緑を強調させたいときはＧのＬＥＤの光量を落とす。また、黄を強調させたいときはＧとＲのＬＥＤの光量を落し、マゼンダを強調させたいときはＢとＲのＬＥＤの光量を落し、シアンを強調させたいときはＢとＧのＬＥＤの光量を落とす。
【００６２】
図１４の処理では、まず、ユーザが強調したい色を選択する（Ｓ１１）。色が指定されたら、それに対応するＬＥＤの点灯時間を所定の割合（例えば１／２）で低減する（Ｓ１２）。ここでの所定の割合としては例えば１／２が挙げられるがこれに限るものではない。なお、特定の色を強調させようとして特定ＬＥＤの点灯時間を低減しすぎると全体の光量が落ちてしまい、ノイズ成分が多くなってしまうおそれがあるので、適度な割合で低減を行うことが好ましい。
【００６３】
この変形例によれば、カラー原稿をモノクロ出力で、ある色成分の画像の濃度を濃く画像形成したい場合に、ある色成分だけ再現性を高めることができる。なお、ユーザが色を選択するのではなく、特定の動作モード（例えば緑色文書読取モード等）を選択した場合に、所定の色（例えばＧ）のＬＥＤの光量を低減するような処理であってもよい。なお、この変形例では、複数の発光素子からなる光源の個数は必ずしも複数でなくてもよい。
【００６４】
以上、本発明の好適な実施の形態について説明したが、上記で言及した以外にも種々の変形、変更を行うことが可能である。
【図面の簡単な説明】
【００６５】
【図１】本発明の実施の形態のファクシミリ装置を前方から見た透視図である。
【図２】図１のファクシミリ装置の斜視図である。
【図３】図１のファクシミリ装置の画像読取部の拡大透視図である。
【図４】本発明の実施の形態の画像読取部の内部構造を示す図である。
【図５】本実施の形態に係るイメージセンサユニットの具体的構成例を示している。
【図６】図５のイメージセンサユニットの構成例を示す断面図である。
【図７】本発明の実施の形態のイメージセンサユニットにおける導光体光源による光量分布を示す図である。
【図８】従来のイメージセンサユニットの構成例を示す図である。
【図９】本発明の実施の形態におけるＬＥＤの光量を制御する制御回路を示す図である。
【図１０】本発明の実施の形態におけるＬＥＤ駆動回路の構成例を示した図である。
【図１１】本実施の形態における光源の光量特性を説明する。
【図１２】本発明の実施の形態における両ＬＥＤ光源の各ＬＥＤの光量調整処理のフローチャートである。
【図１３】本発明の実施の形態における点灯時間割合ｘ［％］の説明図である。
【図１４】本発明の実施の形態の変形例について説明するための図である。
【符号の説明】
【００６６】
１０…ＬＥＤ光源
１１…導光体
１２…セルフォックレンズアレイ
１３…センサ
１４…枠体
２３…Ａ／Ｄ変換回路
２４…ＣＰＵ＆メモリ
２５…ＬＥＤ駆動回路
２６…ＬＥＤ共通電源
３０…ドライバ
３１…定電流回路
３３…スイッチ回路
１０８…イメージセンサユニット
１１０…ＬＥＤヘッドユニット
１１１…画像形成部
１２０…制御部
【図１】
2006211175.tif 000003
【図２】
2006211175.tif 000004
【図３】
2006211175.tif 000005
【図４】
2006211175.tif 000006
【図５】
2006211175.tif 000007
【図６】
2006211175.tif 000008
【図７】
2006211175.tif 000009
【図８】
2006211175.tif 000010
【図９】
2006211175.tif 000011
【図１０】
2006211175.tif 000012
【図１１】
2006211175.tif 000013
【図１２】
2006211175.tif 000014
【図１３】
2006211175.tif 000015
【図１４】
2006211175.tif 000016